(57)【特許請求の範囲】
【請求項１】
浴槽から浴水を吸引して循環水路を循環させる循環ポンプと、前記循環水路に設けられるとともに電極を備え循環される浴水を電気分解して酸性の浴水とアルカリ性の浴水を生成する電解槽と、前記酸性の浴水と前記アルカリ性の浴水をそれぞれ濾過する第１濾過器および第２濾過器を備え、前記第１濾過器と前記第２濾過器のうち前記酸性の浴水が濾過される濾過器においてマイナスの界面動電位をもつ濁度成分が界面動電位を中性またはプラスに変化させられて濾過されるとともに、前記第１濾過器で濾過された浴水と前記第２濾過器で濾過された浴水とが前記循環水路または前記浴槽において合流されることを特徴とする循環温浴器。
【請求項２】
電極に印加する電圧の極性を反転させて浴水を電気分解し、生成される酸性とアルカリ性の水質を反転させて第１濾過器と第２濾過器を洗浄することを特徴とする請求項１記載の循環温浴器。
【請求項３】
浴槽から浴水を吸引して循環水路を循環させる循環ポンプと、前記循環水路に設けられるとともに電極を備え循環される浴水を電気分解して酸性の浴水とアルカリ性の浴水を生成する電解槽と、前記酸性の浴水と前記アルカリ性の浴水をそれぞれ濾過する第１濾過器および第２濾過器と、前記酸性の浴水のｐＨを所定の値に設定するため前記電極への電力供給量を制御する制御部を備え、前記第１濾過器と前記第２濾過器のうち前記酸性の浴水が濾過される濾過器においてマイナスの界面動電位をもつ濁度成分が界面動電位を中性またはプラスに変化させられて濾過されるとともに、前記第１濾過器で濾過された浴水と前記第２濾過器で濾過された浴水とが前記循環水路または前記浴槽において合流されることを特徴とする循環温浴器。
【請求項４】
浴槽から浴水を吸引して循環路を循環させる循環ポンプと、隔膜で区画して形成されそれぞれに電極が配設された第１電解室および第２電解室を有すとともに、第１電解室には前記循環路から浴水を通水し第２電解室には浴水を滞留させて電気分解する電解槽と、前記第１電解室の電極にプラスの電圧を印加したとき前記第１電解室から吐出
された酸性の浴水を濾過する濾過器と、前記酸性の浴水のｐＨを所定の値に設定するため前記電極への電力供給量を制御する制御部を備え、前記濾過器でマイナスの界面動電位をもつ濁度成分の界面動電位を変化させて濾過することを特徴とする循環温浴器。
【発明の詳細な説明】
【０００１】
【発明の属する技術分野】
本発明は、風呂の浴水を濾過及び加熱しながら循環させる循環温浴器に関するものである。
【０００２】
【従来の技術】
近年、生活の快適さ便利さを追求して循環温浴器が普及しつつある。この循環温浴器は浴水を循環させ、濾過槽で浴水を濾過して清浄化し、ヒーターを設けて浴水を加熱して多くは２４時間いつでも入浴できるものである。
【０００３】
そこで従来の循環温浴器について説明する。図２は従来の循環温浴器の概略全体図である。１は浴槽、２は浴水を循環する循環ポンプ、３は循環水路、５は濾過装置で内部に濾材４が充填されている。濾材４は多孔質のセラミックボールや砂、麦飯石あるいは糸巻きフィルター等であり、この濾材４には後述する細菌や他の微生物が固定されている。６は浴槽１内の浴水を循環ポンプ２の作用によって循環水路３に吸引する吸入口、７は浴水を循環水路３から浴槽１内へ戻す排出口、８は循環される浴水を加熱するヒーター、９は紫外線ランプである。
【０００４】
以上のように構成された従来の循環温浴器についてその動作を説明する。循環ポンプ２が運転開始されると、浴槽１内の浴水が吸入口６より吸引され循環水路３を介しての循環が開始される。循環ポンプ２から吐き出された浴水はヒーター８に送られ、適当な温度に加熱される。加熱された浴水は循環水路３を経て濾過装置５に送られる。濾過装置５には濾材４が充填されており、浴水の温度近くで自然発生する好気性細菌や、皮膚常在菌類等でミクロコッカス（Ｍｉｃｒｏｃｏｃｃｕｓ）、シュウドモナス（Ｐｓｅｕｄｏｍｏｎｕｓ）、ストレプトコッカス（Ｓｔｒｅｐｔｏｃｏｃｃｕｓ）等に代表される微生物が固定されて棲息している。このため濾材４によって浴水中の濁度成分の吸着が行われ、濾材４に固定された細菌や微生物によって濁度成分を構成する脂分や蛋白質等が分解、濾過される。濾過装置５で清浄化された浴水は次に紫外線ランプ９に送られ、紫外線ランプ９の周囲を流れて浴水中に繁殖している細菌が殺菌される。紫外線ランプ９を出た浴水は循環水路３の排出口７から浴槽１内に還流される。従来の循環温浴器はこのような浴水の循環を２４時間行っており、常時浴水中の濁度成分を取り除いて清浄化し、あわせて浴水の殺菌を図って、いつでも快適に入浴することができるようにしている。
【０００５】
このほか従来の循環温浴器には、濾過装置５のほかにさらに予備的に粗濾過を行って浴水中に混入した毛髪や垢等の比較的大きなゴミを除去するため、ヘアーキャッチャーを吸入口６に設けたものも存在する。このヘアーキャッチャーによって濾過装置５の濾過寿命を長くするものである。
【０００６】
【発明が解決しようとする課題】
しかしながら、従来の循環温浴器のように濾過装置に濾材を設け、この濾材に固定された細菌や微生物によって浴水中の濁度成分である垢や脂肪分等を捕捉、分解し、浴水を濾過する生物濾過による方法は、細菌や微生物が十分に濾材に固定され分解能力が発揮されるまでの運転開始初期の７日間〜１０日間程度の期間は、浴水中の清浄化が不十分で濁度成分が除去されず、頻繁に浴槽水を交換しなければならないという問題があった。
【０００７】
また、濾材に十分に細菌や微生物が固定されていても、浴水の濁度成分を濾過するには時間がかかり、頻繁に入浴する場合浴水の濁りが増加し、清浄な状態で入浴を行うことができない場合が発生していた。
【０００８】
さらに、濁度成分を物理的に濾過する場合は、浴水の濁度成分の界面動電位、これはゼータ電位とも呼ばれるが、浴水ではこの界面動電位のほとんどがマイナスであって、浴水中で互いに反発し合って均一な乳濁状態（エマルジョン）となって分散しており、この濁度成分を除去するためには（１）０．１μｍの粒子のほとんどを濾過できる濾過精度０．１μｍの中空糸膜等のフィルターを利用して精密濾過するか、（２）界面動電位がプラスの特殊なフィルターを使用して界面動電位がマイナスの濁度成分を吸着除去しなければならず、濾材のコストが高く、メンテナンスが煩雑で、濾材の寿命がきわめて短い等の問題があった。
【０００９】
そこで本発明は従来の問題点を解決するためのもので、運転開始初期から微小な濁度成分まで容易に濾過し、濾過性能が高いため濾過のスピードが速く、連続して入浴してもいつも清浄な状態で入浴することができ、洗浄作業が容易で、濾材のコストが安く、しかも閉塞寿命も長く、メンテナンスが容易で衛生的な循環温浴器を提供することを目的とする。
【００１１】
【課題を解決するための手段】
この課題を解決するために本発明の循環温浴器は、循環される浴水を電気分解して酸性の浴水とアルカリ性の浴水を生成する電解槽と、酸性の浴水とアルカリ性の浴水をそれぞれ濾過する第１濾過器および第２濾過器を備え、第１濾過器と第２濾過器のうち酸性の浴水が濾過される濾過器においてマイナスの界面動電位をもつ濁度成分が界面動電位を中性またはプラスに変化させられて濾過されるとともに、第１濾過器で濾過された浴水と第２濾過器で濾過された浴水とが循環水路または浴槽において合流されることを特徴とする。
【００１２】
これにより運転開始初期から微小な濁度成分まで容易に濾過し、濾過性能が高いため濾過のスピードが速く、連続して入浴してもいつも清浄な状態で入浴することができ、洗浄作業が容易で、濾材のコストが安く、しかも閉塞寿命も長く、メンテナンスが容易で衛生的な循環温浴器を提供することができる。
【００１３】
【発明の実施の形態】
本発明の請求項１に記載の発明は、浴槽から浴水を吸引して循環水路を循環させる循環ポンプと、循環水路に設けられるとともに電極を備え循環される浴水を電気分解して酸性の浴水とアルカリ性の浴水を生成する電解槽と、酸性の浴水とアルカリ性の浴水をそれぞれ濾過する第１濾過器および第２濾過器を備え、第１濾過器と第２濾過器のうち酸性の浴水が濾過される濾過器においてマイナスの界面動電位をもつ濁度成分が界面動電位を中性またはプラスに変化させられて濾過されるとともに、第１濾過器で濾過された浴水と第２濾過器で濾過された浴水とが循環水路または浴槽において合流されることを特徴とする循環温浴器であり、酸性の浴水で一般的なマイナスの界面動電位をもつ濁度成分が中性またはプラスの界面動電位に変化して第１濾過器で濾過され、循環を繰り返しながら浴水は清浄化される。
【００１４】
請求項２に記載された発明は、電極に印加する電圧の極性を反転させて浴水を電気分解し、生成される酸性とアルカリ性の水質を反転させて第１濾過器と第２濾過器を洗浄するから、濁度成分の界面動電位が中性またはプラスのものをマイナスに、中性またはマイナスのものはプラスにすることができ、この界面動電位を与えられることによって再び凝集が解かれて分解され、濁度成分を各濾過器から離脱させることができる。
【００１５】
請求項３に記載された発明は、浴槽から浴水を吸引して循環水路を循環させる循環ポンプと、循環水路に設けられるとともに電極を備え循環される浴水を電気分解して酸性の浴水とアルカリ性の浴水を生成する電解槽と、酸性の浴水とアルカリ性の浴水をそれぞれ濾過する第１濾過器および第２濾過器と、酸性の浴水のｐＨを所定の値に設定するため電極への電力供給量を制御する制御部を備え、第１濾過器と第２濾過器のうち酸性の浴水が濾過される濾過器においてマイナスの界面動電位をもつ濁度成分が界面動電位を中性またはプラスに変化させられて濾過されるとともに、第１濾過器で濾過された浴水と第２濾過器で濾過された浴水とが循環水路または浴槽において合流されることを特徴とする循環温浴器であるから、制御部によって酸性の浴水のｐＨを制御するだけで浴水の濾過を行うことができる。
【００１６】
請求項４に記載された発明は、浴槽から浴水を吸引して循環路を循環させる循環ポンプと、隔膜で区画して形成されそれぞれに電極が配設された第１電解室および第２電解室を有すとともに、第１電解室には循環路から浴水を通水し第２電解室には浴水を滞留させて電気分解する電解槽と、第１電解室の電極にプラスの電圧を印加したとき第１電解室から吐出された酸性の浴水を濾過する濾過器と、酸性の浴水のｐＨを所定の値に設定するため電極への電力供給量を制御する制御部を備え、濾過器でマイナスの界面動電位をもつ濁度成分の界面動電位を変化させて濾過することを特徴とする循環温浴器であるから、第１電解室だけ浴水を通水させ第２電解室は浴水を滞留させたままで電気分解できて強酸性の浴水で濾過をすることができるとともに、構成を簡単化、コンパクトにすることができる。
【００１９】
以下、本発明の実施の形態について、図１を用いて説明する。
（実施の形態１）
本発明の一実施の形態の循環温浴器について説明する。図１は本発明の一実施の形態における循環温浴器の概略全体図である。
【００２０】
まず図１を用いて濾過の作用と構成について説明をする。図１において、１は浴槽、２は循環ポンプ、３は循環水路、５は濾過装置で濾過フィルター４１が内蔵されている。濾過装置５には第１濾過器５１と第２濾過器５２の２つの濾過器が設けられている。また濾過フィルター４１は従来技術のように微生物によって生物濾過を図るものではなく、物理的に濾過するものが適当である。ただ物理的濾過とはいっても実際上濾過フィルター４１に微生物が棲息することはありえるものである。６は吸入口、７は排出口、８はヒーター、１０は電解槽である。１１はバイパス弁で、濾過装置５を洗浄する場合に電解槽１０や濾過装置５を介さずヒーター８で加熱された浴水を直接排出口７から浴槽１に返還するため開放されるものである。１２は３方弁であり、１３はｐＨセンサーであって電解槽１０内で電気分解された浴水のｐＨを検出するものである。電解槽１０にはそれぞれ電極が配設された第１電解室１０１と第２電解室１０２が設けられており、マイナスの電圧が印加された電極を含む電解室からはアルカリ性の浴水が吐出され、プラスの電圧が印加された電極を含む電解室からは酸性の浴水が吐出される。１４は流量センサー、１５は排水口であり、１６は循環ポンプ２やヒーター８、３方弁１２、バイパス弁１１を制御する制御部である。１７は第１電解室１０１と第２電解室１０２から吐出されたアルカリ性と酸性の浴水を合流させる合流部である。なお合流部１７は設けずにアルカリ性と酸性の浴水を直接浴槽１に戻してもよい。
【００２１】
制御部１６からの指令によって循環ポンプ２に電力が供給されると、循環ポンプ２が回転を開始する。この循環ポンプ２の作用によって浴槽１内の浴水が吸入口６から吸い込まれ、実線矢印で示すように浴水は循環水路３を介してヒーター８に送られる。ヒーター８ではこの浴水が加熱され、浴水の温度が一定温度に保たれるように制御部１６が電力の供給を行う。ヒーター８を出た浴水は電解槽１０に送られる。電解槽１０は密閉容器で構成されており、上述した通り内部には第１電解室１０１と第２電解室１０２の２つの電解室が隔膜によって仕切られて形成されている。第１電解室１０１と第２電解室１０２には浴水を電気分解することができるように電極が設けられている。この電極は腐食が起こらないようにチタンに白金メッキが施されたものである。ヒーター８から送られてきた浴水を導入するため第１電解室１０１と第２電解室１０２には、循環水路３が２つの分岐路に分かれて各電解室の流入口に接続されている。同様に電解槽１０にはこの２つの電解室から浴水を吐出する流出口がそれぞれ形成されている。従って流出口の一方からは酸性の浴水が、他方からはアルカリ性の浴水が吐出される。
【００２２】
吐出される酸性の浴水とアルカリ性の浴水は、それぞれがｐＨセンサー１３でｐＨを検出され、例えば酸性の浴水の場合、ｐＨが所定の値である４．５になるように制御部１６が電極への電力の供給量を制御する。第１電解室１０１の電極にプラスの電圧、第２電解室１０２の電極にマイナスの電圧をそれぞれ印加した場合、第１電解室１０１で生成された酸性の浴水は第１濾過器５１、第２電解室で生成されたアルカリ性の浴水は第２濾過器５２でそれぞれ濾過される。印加する電圧の極性を反転させると、アルカリ性の浴水が第１濾過器５１に、酸性の浴水が第２濾過器５２に送られて濾過されることになる。濾過装置５は密閉容器で構成され、内部には第１濾過器５１と第２濾過器５２が設けられている。しかしいずれの濾過器５１，５２も濾過フィルター４１を装着した構造となっている。本実施の形態においては濾過フィルター４１は濾過精度５μｍの糸巻きフィルターを使用している。界面動電位処理を行っていない通常の濾過フィルター４１の場合、例えば本実施の形態の糸巻きフィルターのような場合には、ｐＨ７の浴水中でマイナスの界面動電位を有すものである。
【００２３】
また、一般に浴水の大部分の濁度成分は、ｐＨ７（中性）付近でマイナスの電位を帯びているが、浴水のｐＨ７から変化させると濁度成分の界面動電位も変化する。すなわち電気分解によって生成された酸性の浴水中の濁度成分は、浴水がｐＨ７以下となるため界面動電位がマイナスから変化して、中性もしくはプラスに変化する。このｐＨの作用により濁度成分は互いにファンデルワールス力等によって凝集して濾過が可能な程度の大きさのフロックを形成したり、界面動電位がプラスであれば濾過フィルター４１のマイナスの表面に電位吸着されて濾過されることになる。このように酸性の浴水のｐＨは濁度成分の濾過性能に大きく影響を及ぼすものであり、これをｐＨ５以下にすれば濁度成分の除去性能が向上する。とくにｐＨ４．５前後が最適の状態を示す。そして、例えば、初期の濁度が３度の浴水を循環濾過する場合に、ｐＨ７（電気分解を行わない場合）の浴水であれば１時間後の濁度は約１度、最終的に濁度約０．５度の浴水にまで濾過するのにすぎないが、これが上記のｐＨ４．５の浴水であれば１時間後の濁度は０．３度以下となり、最終的に濁度０．１度以下の浴水にまで濾過できるものである。そして浴水中には多くの一般細菌が存在するが、この一般細菌もほぼすべての界面動電位が他の濁度成分と同様にマイナスである。従って浴水を酸性にすることによって他の濁度成分と同様に濾過フィルター４１によって濾過でき、浴水中の一般細菌の増殖を防止することができる。
【００２４】
次に生成されたアルカリ性の浴水について説明する。アルカリ性の浴水においては逆にプラスの界面動電位をもった濁度成分が凝集されて濾過される。ただ上記した通り一般に濁度成分の中にはプラスの界面動電位をもった成分が少ないため、また、濾過フィルター４１においては界面動電位処理を施さない限り通常プラスの界面動電位を示さないために、アルカリ性の浴水のｐＨを制御してもこのような一般の濁度成分と普通の濾過フィルター４１を用いる限り、酸性の浴水のｐＨを制御するのと比較して濾過能力に大きく影響することはない。それ故このような濁度成分と普通の濾過フィルター４１を用いる場合、酸性側の浴水のｐＨだけを制御することで浴水の濾過が十分行われるものである。
【００２５】
濾過装置５で濾過されたアルカリ性と酸性の浴水は、濾過装置５を出たところで合流部１７によって合流される。この合流によって浴水のｐＨはほぼ中性（約ｐＨ７）になり、３方弁１２を通って排出口７から浴槽１に戻される。このため浴槽１内の浴水が酸性やアルカリ性に変化することはない。以上のような循環濾過の運転を繰り返すことで、本実施の形態の循環温浴器では浴水を清浄に保つことができる。
【００２６】
ところで以上述べたとおり、一般的な濁度成分と普通の濾過フィルター４１を前提とすれば酸性側の浴水のｐＨだけを制御し、アルカリ性側のｐＨは制御しなくても、濾過装置５の濾過能力は十分である。そこで電解槽１０の中で酸性の浴水を生成する第１電解室１０１へは循環水路３から浴水を通水するが、アルカリ性の浴水を吐出する第２電解室１０２には浴水を滞留させて電気分解を行うようにすれば、濾過能力は落とさず、アルカリ性側の流路構成を不要にすることができ、循環温浴器の構成を簡単にすることができる。このとき吐出される酸性の浴水のｐＨは、酸性側に設けられたｐＨセンサー１３で検出され、この検出信号によって制御部１６が電極へ供給する電力の供給量を制御することにより、浴水を所定の値のｐＨに設定できるものである。この場合濾過装置５も第１濾過器５１のみで足りることになる。第２電解室１０２内の浴水を滞留させることにより、生成される酸性の浴水のｐＨは相当小さく、強酸性の浴水を吐出することができる。
【００２７】
次に一定時間循環運転を行った後、濾過装置５内部の濾過フィルター４１に濾過された濁度成分を排出するための洗浄動作について説明する。洗浄は１日に１回もしくは２回、制御部１６によって所定の時間になると行われる。また、流量センサー１４で循環する浴水の循環量が所定の水量以下に低下した場合にも、濾過装置５が濁度成分により目詰まりしたことを示すから、制御部１６は洗浄を開始する。洗浄動作は、タイマからの信号または流量センサー１４からの信号を受けて制御部１６がバイパス弁１１を開くことから開始される。この開放によって電解槽１０側へ流れる浴水の水量が低下する。続いて制御部１６は３方弁１２を切り替える。この切り替えで電解槽１０と濾過装置５を通ってから合流部１７で合流された浴水は、点線の矢印の方向である排水口１５の側に送られて浴槽１の外部に排出されることになる。
【００２８】
この切り替えとともに洗浄動作を行うために、制御部１６は循環運転時に電極に印加していた電圧の極性を反転させ、逆の極性で電圧を印加する。従って各電解室のうち酸性の浴水を作っていた側でアルカリ性の浴水が作られ、アルカリ性の浴水を作っていた側で酸性の浴水が作られることになる。バイパス弁１１が開いたら電解槽１０に流れる浴水の水量が低下するため（本実施の形態においては約２リットル／分）、電解槽１０で電気分解される浴水はそのｐＨが大きく変化させられる。そこで濾過装置５の洗浄のためアルカリ性側の浴水のｐＨを１１以上になるように制御部１６がｐＨセンサー１３の信号によって電極への電力供給量を制御する。このようにして洗浄用に電気分解されたアルカリ性の浴水は電解槽１０から第１濾過器５１に送られ、酸性の浴水は電解槽１０から第２濾過器５２に送られる。ｐＨ１１以上のアルカリ性の浴水は、濾過運転時に酸性の状態におかれることで第１濾過器５１の濾過フィルター４１で濾過された濁度成分を再び分解するとともに、濾過フィルター４１の表面に電位吸着されている濁度成分を表面から再離脱させる。また併せて生成されるｐＨ５以下の酸性の浴水は第２濾過器５２に溜まっている濁度成分を同時に洗浄するものである。
【００２９】
そこでこの酸性とアルカリ性の水質を反転して行う第１濾過器５１と第２濾過器５２での洗浄に関してさらに詳述する。第１濾過器５１での洗浄について説明すると、浴水中の濁度成分は一般的に界面動電位がマイナスであるが、電気分解によってｐＨ５以下の酸性の浴水になるため、このため酸性の浴水中の濁度成分は界面動電位がマイナスから中性またはプラスに変化させられる。そしてこの界面動電位が中性またはプラスになることにより、濁度成分がファンデルワールス力または濾過フィルター４１の電位吸着力によって濾過されるものである。そこでこのような状態の第１濾過器５１にｐＨ１１以上のアルカリ性の浴水を導入すると、この濁度成分の界面動電位が再びマイナスとなり、この電気的な力によって凝集が解かれて分解し、また濾過フィルター４１から離脱することになるのである。これによって単に中性の水で洗浄するより大幅に洗浄効率を向上させることができる。分解されたり浮遊状態となった濁度成分は第１濾過器５１から流出し、次に説明する第２濾過器５２を洗浄した酸性の浴水と合流された後、３方弁１２を通って排水口１５より排水される。
【００３０】
続いて第２濾過器５２の洗浄について説明すると、第２濾過器５２ではｐＨ５以下（本実施の形態ではｐＨ２．５程度）の強酸性の浴水を導入して、界面動電位がプラスの濁度成分を分解、離脱させて洗浄する。ところでこの強酸性の浴水には、電気分解により遊離塩素が含まれている。この遊離塩素は殺菌作用を有しているため、第２濾過器５２の濾過フィルター４１に付着繁殖している細菌を殺菌することができる。従って濾過フィルター４１上に発生するぬめり等によって濾過フィルター４１が目詰まりするのを防止することができる。
【００３１】
このように洗浄用に電気分解した浴水を濾過装置５に導くことにより洗浄効率を上げ、濾過フィルター４１を殺菌することができるが、この洗浄動作は約５分程度行うだけで十分である。本実施の形態では２リットル／分程度の水量を洗浄用に用いているから、浴槽１の外部に排出される浴水は１回当たり約１０リットル程度であり、浴水の補充はしないか、してもごくわずかですみ、浴水の補充の際急激に浴水温度が低下したりするようなことはなく、実用上の問題を生じることはない。また濾過装置５を自動的に洗浄するから、長期間濾過フィルター４１のメンテナンスを行う必要がないものである。
【００３２】
洗浄動作が終了すると、制御部１６はバイパス弁１１を閉とし、３方弁１２を実線矢印の方向へ切り替える。浴水は再び循環濾過運転されることになり、全量が電解槽１０に送られる。両電極に印加する電圧の極性が洗浄時と反転させられ、電解槽１０では再び第１電解室１０１でｐＨ４．５になるように制御部１６が電極への電力供給量を制御する。このような電圧極性の印加を行って制御を行う場合には、濾過運転のときには常に第１電解室１０１から酸性の浴水が吐出され、第２電解室１０２からはアルカリ性の浴水が吐出されることになる。しかし、電極に印加する電圧の極性を洗浄時と再濾過時に反転させないように制御するのも適当である。すなわち、再濾過時、電極に印加する電圧の極性を洗浄時のままとし、酸性とアルカリ性の水質を濾過時と再濾過時で反転して濾過するものである。従って再濾過運転のときには第１電解室１０１でアルカリ性の浴水を生成し、第２電解室１０２では酸性の浴水を生成して濾過する。このように洗浄動作を挟んで印加する電圧の極性を交互に交換するから、生成される水質が交互に変わって循環濾過運転できるから、両濾過器５１，５２を同等に洗浄、殺菌することができるものである。
【００３３】
このように電解槽１０で浴水のｐＨを変化させて濁度成分を濾過することで、微小な濁度成分まで迅速に濾過することができ、循環温浴器を設置した当初から十分な濾過性能をもち、メンテナンスのいらない循環温浴器を提供することができるものである。
【００３４】
【発明の効果】
以上のように本発明の循環温浴器によれば、運転開始初期から微小な濁度成分まで容易に濾過し、濾過性能が高いため濾過のスピードが速く、連続して入浴してもいつも清浄な状態で入浴することができ衛生的で、洗浄作業が容易で、濾材のコストが安く、しかも閉塞寿命も長く、メンテナンスが容易でである。また酸性の浴水だけのｐＨ制御を行うだけで濾過できるから循環温浴器の構成が簡単化することができるし、電解室の一方には通水するが他方は滞留させた状態で電気分解するから、強酸性の浴水を作って濾過能力を上げることができ、循環温浴器の構成をさらに簡単にすることができる。また本発明の循環温浴器の濾過方法は電気分解を利用して界面動電位を変化させるから、微小な濁度成分まで容易に濾過でき、濾過性能が高く、濾過のスピードが速いものである。
【図面の簡単な説明】
【図１】本発明の一実施の形態における循環温浴器の概略全体図
【図２】従来の循環温浴器の概略全体図
【符号の説明】
１  浴槽
２  循環ポンプ
３  循環水路
４  濾材
５  濾過装置
６  吸入口
７  排出口
８  ヒーター
９  紫外線ランプ
１０  電解槽
１１  バイパス弁
１２  ３方弁
１３  ｐＨセンサー
１４  流量センサー
１５  排水口
１６  制御部
１７  合流部
４１  濾過フィルター
５１  第１濾過器
５２  第２濾過器
１０１  第１電解室
１０２  第２電解室
【図１】
0003596163.tif 000002
【図２】
0003596163.tif 000003